(57)【要約】【課題】機器を覆うカバーケースの梱包状態において、カバーケースがブリスターと擦れるのを防止し、しかも、部品点数を削減してコストダウンを図るとともに、外観性を向上する。【解決手段】機器を覆う上下のカバーケース１・２を梱包時に支える緩衝用のスペーサー３の本体部３Ａに、上下のカバーケース１・２の外部に突出してカバーケース１・２の厚みより厚い壁部３Ｂを一体化して備える。具体的には、スペーサー３は、紙を折り曲げて本体部３Ａ及び壁部３Ｂが形成される。そして、上下のカバーケース１・２、スペーサー３の本体部３Ａ及び壁部３Ｂをブリスター５に入れる。【選択図】図１
2014118168.tif 000002
【特許請求の範囲】
【請求項１】
機器を覆うカバーケースを梱包時に支える緩衝用のスペーサーに、カバーケースの外部に突出してカバーケースの厚みより厚い壁部を一体化して備えることを特徴とするカバーケースの梱包構造。
【請求項２】
前記スペーサー及び壁部は紙を折り曲げて形成されることを特徴とする請求項１に記載のカバーケースの梱包構造。
【請求項３】
前記カバーケース、スペーサー及び壁部をブリスターに入れたことを特徴とする請求項１または２に記載のカバーケースの梱包構造。
【発明の詳細な説明】
【技術分野】
【０００１】
本発明は、機器を覆うカバーケースの梱包構造に関する。
【背景技術】
【０００２】
特許文献１において、空気調和機等の梱包で、緩衝部材と付属品箱を、ダンボール板を折り曲げ一体で成形し、部品点数の削減と梱包強度を向上させた梱包装置が提案される。
【先行技術文献】
【特許文献】
【０００３】
【特許文献１】特開平１１−２９１３４号公報
【発明の概要】
【発明が解決しようとする課題】
【０００４】
例えば電子辞書を覆って保護するカバーケースを、緩衝用のスペーサーで支えてブリスターに入れた梱包状態において、振動試験を実施すると、ブリスターと擦れてカバーケースに傷や跡が付いてしまう。
このため、カバーケースを袋に入れて傷を防ぐ必要があるが、袋に入れると、外観性が低下する心配がある。
【０００５】
本発明の課題は、機器を覆うカバーケースの梱包状態において、カバーケースがブリスターと擦れるのを防止し、しかも、部品点数を削減してコストダウンを図るとともに、外観性を向上することである。
【課題を解決するための手段】
【０００６】
以上の課題を解決するため、本発明は、
機器を覆うカバーケースを梱包時に支える緩衝用のスペーサーに、カバーケースの外部に突出してカバーケースの厚みより厚い壁部を一体化して備える、カバーケースの梱包構造を特徴とする。
【発明の効果】
【０００７】
本発明によれば、梱包状態でカバーケースがブリスターと擦れるのを防止でき、しかも、部品点数を削減してコストダウンできるとともに、外観性を向上することができる。
【図面の簡単な説明】
【０００８】
【図１】本発明を適用したカバーケースの梱包構造の一実施形態の構成を示す断面図（ａ）とブリスターの底面図（ｂ）である。
【図２】図１のカバーケースとスペーサーの拡大底面図（ａ）と平面図（ｂ）である。
【図３】図２のスペーサーを形成する紙の展開図である。
【図４】図３の紙のスペーサーの本体部の組立状態を示した平面図である。
【図５】図４の状態から壁部の組立状態を段階的に示した斜視図（ａ）（ｂ）（ｃ）である。
【発明を実施するための形態】
【０００９】
以下、図を参照して本発明を実施するための形態を詳細に説明する。
（実施形態）
図１（ａ）（ｂ）は本発明を適用したカバーケースの梱包構造の一実施形態の構成を示すもので、１は上カバーケース、２は下カバーケース、３はスペーサー、４は台紙、５はブリスターである。
図２（ａ）（ｂ）はカバーケース１・２とスペーサー３を拡大したものである。
【００１０】
図示のように、例えば電子辞書等の機器を覆って保護する上カバーケース１及び下カバーケース２が、スペーサー３の本体部３Ａの上下に装着して支えられて、スペーサー本体部３Ａからカバーケース１・２の外部に突出した一対の壁部３Ｂが、台紙４とブリスター５の間に挟まれて収納された梱包状態となっている。
【００１１】
ブリスター５は、台紙４に重なる平板部５１と、スペーサー３の本体部３Ａの上下に装着して支えられた上カバーケース１及び下カバーケース２、及びそのカバーケース１・２の外部に突出した一対の壁部３Ｂを収納する膨出部５２と、台紙４の裏側に重なるガイド片部５３を一体成形したものである。
【００１２】
なお、平板部５１には、吊り下げ用孔５４と折り曲げ用延長部５５が形成されて、折り畳み線を仮想線で示した折り曲げ用延長部５５の先端に吊り下げ用孔５４に対応する切欠部５６が形成されている。また、台紙４には、図示しないが、吊り下げ用孔５４と対応する孔が形成されている。
【００１３】
図３はスペーサー３を形成する紙の展開図で、３０は本体部３Ａの形成エリア、３６は壁部３Ｂの形成エリアであり、スペーサー３を形成する紙は、折り畳み線を仮想線で示したように、本体部３Ａの形成エリア３０と、その両側部に連続する一対の壁部３Ｂの形成エリア３６とが設けられている。
【００１４】
すなわち、本体部３Ａの形成エリア３０は、仮想線に沿って折り畳んで底面、長側面、上面及び長側面を形成するメインボックス状形成部３１と、その上面から連続する延長片３２・３３と、ボックス状形成部３１の底面の短側面側に連続する一対の連結片３４と、メインボックス状形成部３１の上面の短側面側に連続する一対の短側面片３５とに分けられている。
【００１５】
なお、メインボックス状形成部３１の底面の長側面側中央に突出するフック片３１ｆが形成されて、同じく上面部の一端寄りに上カバーケース１の端部が入る長いスリット３１ｓが形成されている。さらに、延長片３２の基端の折り畳み線の中央に沿ってスリット３２ｓが形成されて、連結片３４の中央にスリット３４ｓが形成されている。また、メインボックス状形成部３１のフック片３１ｆは延長片３２のスリット３２ｓに差し込まれる。
【００１６】
また、壁部３Ｂの形成エリア３６は、メインボックス状形成部３１の連結片３４に連続して、仮想線に沿って折り畳んで上面、外側長側面、下面及び内側長側面を形成するサブボックス状形成部３７と、その外側長側面の短側面側に連続する一対の短側面片３８とに分けられている。
【００１７】
なお、サブボックス状形成部３７の上面中央に切り込みによるフック片３７ｆが形成されて、短側面片３８の中央の折り畳み線の中央に沿ってスリット３８ｓが形成されている。このスリット３８ｓは短側面片３８を中央で折り畳み易くするためのものである。また、サブボックス状形成部３７のフック片３７ｆは連結片３４のスリット３４ｓに差し込まれる。
【００１８】
図４はスペーサー３の本体部３Ａの組立状態を示したもので、メインボックス状形成部３１を仮想線に沿って直角に順次折り曲げていって底面、長側面、上面及び長側面からなる本体部３Ａを形成する。そして、延長片３２・３３を仮想線に沿って順次折り畳むとともに、フック片３１ｆをスリット３２ｓに差し込む。また、一対の短側面片３５を仮想線に沿って直角に折り曲げる。
【００１９】
なお、図４では、連結片３４にフック片３４ｆを設けて、サブボックス状形成部３７の上面にスリット３７ｓを設けており、このようにフック片とスリットの関係を図３と逆に構成してもよい。
【００２０】
次に、図５は壁部３Ｂの組立状態を段階的に示したものである。
先ず、図５（ａ）に示すように、連結片３４を仮想線に沿って直角に折り曲げるとともに、一対のサブボックス状形成部３７を仮想線に沿って上から下に回すように順次折り曲げていって上面、外側長側面、下面及び内側長側面からなる壁部３Ｂを形成する。そして、フック片３７ｆをスリット３４ｓに（またはフック片３４ｆをスリット３７ｓに）差し込む。
【００２１】
続いて、図５（ｂ）に示すように、壁部３Ｂの外側長側面の短側面側に連続する一対の短側面片３８を仮想線に沿って直角に折り曲げる。この短側面片３８の中央での折り曲げはスリット３８ｓの存在により容易に行える。
【００２２】
こうして、短側面片３８の中央で直角に折り曲げた半分を、図５（ｃ）に示すように、壁部３Ｂの端部開口に差し込んで、スペーサー３の組立を終える。
【００２３】
このように、上下のカバーケース１・２を本体部３Ａに固定する緩衝材としてのスペーサー３に、梱包状態での振動対策部品としての一対の壁部３Ｂを一つにしている。すなわち、上下のカバーケース１・２を支える本体部３Ａと振動対策の壁部３Ｂを用いたスペーサー３を使用する。
【００２４】
そして、スペーサー３は、前述したように、上下のカバーケース１・２を固定する本体部３Ａを先に組み立ててから、振動対策の壁部３Ｂを組み立てている。
【００２５】
このスペーサー３の本体部３Ａの上面に上カバーケース１を重ね、スリット３１ｓに上カバーケース１の端部を入れて（図２（ｂ）参照）、本体部３Ａの側面に上カバーケース１の両側部を嵌め合わせる（図１（ａ）参照）。
【００２６】
また、本体部３Ａの下面に下カバーケース２を重ね、本体部３Ａの側面に下カバーケース２の両側部を嵌め合わせる（図１（ａ）参照）。
【００２７】
次に、ブリスター５の膨出部５２に、一体化された上下のカバーケース１・２及びスペーサー３を入れて、ブリスター５に台紙４を取り付けて、梱包を完了する。
【００２８】
この梱包状態において、スペーサー３は、図１（ａ）に示すように、本体部３Ａに固定した上下のカバーケース１・２の高さよりも、台紙４とブリスター５の膨出部５２に上下面が接触する一対の壁部３Ｂの高さの方が大きく設定されている。そして、上カバーケース１はブリスター５の膨出部５２から下方に離れ、下カバーケース２は台紙４から上方に離れて、何れも宙に浮いた状態となっている。
【００２９】
こうして、ブリスター５への梱包時、スペーサー３の両側に一体の振動対策の壁部３Ｂの高さが上下のカバーケース１・２の高さよりも大きくなっており、上下のカバーケース１・２とブリスター５が擦れるのを防ぐことができる。
【００３０】
以上、実施形態の梱包構造によれば、ブリスター５と上下のカバーケース１・２の擦れをなくすことができる。
そして、緩衝材であるスペーサー３の本体部３Ａと擦れ対策部品である壁部３Ｂが一つになり、部品点数を削減してコストダウンできる。
また、上下のカバーケース１・２を袋に入れる必要がないため、外観性が向上する。
【００３１】
（変形例）
以上の実施形態においては、電子辞書のカバーケースとしたが、本発明はこれに限定されるものではなく、カメラや携帯電話や電卓など他の電子機器のカバーケースであってもよい。
また、カバーケースやスペーサー及び壁部やブリスターの形状等も任意であり、その他、具体的な細部構造等についても適宜に変更可能であることは勿論である。
【００３２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
機器を覆うカバーケースを梱包時に支える緩衝用のスペーサーに、カバーケースの外部に突出してカバーケースの厚みより厚い壁部を一体化して備えることを特徴とするカバーケースの梱包構造。
＜請求項２＞
前記スペーサー及び壁部は紙を折り曲げて形成されることを特徴とする請求項１に記載のカバーケースの梱包構造。
＜請求項３＞
前記カバーケース、スペーサー及び壁部をブリスターに入れたことを特徴とする請求項１または２に記載のカバーケースの梱包構造。
【符号の説明】
【００３３】
１  上カバーケース
２  下カバーケース
３  スペーサー
３０  本体部形成エリア
３１  メインボックス状形成部
３２・３３  延長片
３４  連結片
３５  短側面片
３６  壁部形成エリア
３７  サブボックス状形成部
３８  短側面片
３Ａ  本体部
３Ｂ  壁部
４  台紙
５  ブリスター
５１  平板部
５２  膨出部
５３  ガイド片部
５４  吊り下げ用孔
５５  折り曲げ用延長部
５６  切欠部
【図１】
2014118168.tif 000003
【図２】
2014118168.tif 000004
【図３】
2014118168.tif 000005
【図４】
2014118168.tif 000006
【図５】
2014118168.tif 000007